(57)【特許請求の範囲】
【請求項１】
蓄電システムを充放電制御することによって急激に変動する太陽光発電の出力を平準化して配電線系統に供給する電力フィルタとしての電力平準化システムにおいて、太陽光発電の出力変動の最大値と、配電系統に供給する電力の変動速度の許容値から必要となる減衰量を決め、当該減衰量から電力フィルタを構成する変動抑制フィルタの遮断周波数を決定することを特徴とする電力平準化システムにおける電力伝達関数の設計方法。
【請求項２】
蓄電システムを充放電制御することによって急激に変動する太陽光発電の出力を平準化して配電線系統に供給する電力フィルタとしての電力平準化システムにおいて、電力フィルタを構成する変動抑制フィルタの遮断周波数に対応する蓄電量比率を求め、該蓄電量比率と１日の総発電量を乗算することによって蓄電池容量の最小値を決定することを特徴とする電力平準化システムにおける蓄電池容量の算出方法。
【発明の詳細な説明】
【技術分野】
【０００１】
本発明は、蓄電池を充放電制御することによって太陽光発電の出力変動を緩和するシステムに関する。
【背景技術】
【０００２】
再生可能エネルギーの固定価格買取制度が施行され、太陽光発電の導入が急増している。太陽光発電の出力は天候の影響により激しく変動する。そのため、太陽光発電が大量導入されると、その出力変動により配電線系統の電圧や周波数が変動することが問題視されている。
【０００３】
この出力変動に対する対策として、蓄電池システムを設置して、太陽光発電の出力変動を緩和（平準化）する電力平準化システムが知られている（特許文献１参照）。
【先行技術文献】
【特許文献】
【０００４】
【特許文献１】特許４５９６６９５号公報
【発明の概要】
【発明が解決しようとする課題】
【０００５】
電力平準化システムの機能は、急激に変動する太陽光発電の出力を平準化して系統に供給することである。この機能を実現するためには、太陽光発電の出力を平滑化するローパスフィルタを構成して系統に接続すれば良い。
【０００６】
すなわち、電力平準化システムを構成することは、電力フィルタを構成することと同じとなる。電力フィルタの減衰量を大きくすればするほど平準化ができるが、逆に蓄電池容量の増大化を招く。このため、システムを最適化するには、電力フィルタの電力伝達関数を如何に設計するかに尽きる。
【０００７】
そこで、本発明では、電力平準化システムを構成する電力フィルタの電力伝達関数を最適に設計する方法と、電力平準化システムの性能及びコストの面から重要な役割を占める蓄電池容量を最適化するための算出方法について提示する。
【課題を解決するための手段】
【０００８】
請求項１記載の発明は、蓄電システムを充放電制御することによって急激に変動する太陽光発電の出力を平準化して配電線系統に供給する電力フィルタとしての電力平準化システムにおいて、太陽光発電の出力変動の最大値と、配電系統に供給する電力の変動速度の許容値から必要となる減衰量を決め、当該減衰量から電力フィルタを構成する変動抑制フィルタの遮断周波数を決定することに特徴を有する。
【０００９】
請求項２記載の発明は、蓄電システムを充放電制御することによって急激に変動する太陽光発電の出力を平準化して配電線系統に供給する電力フィルタとしての電力平準化システムにおいて、電力フィルタを構成する変動抑制フィルタの遮断周波数に対応する蓄電量比率を求め、該蓄電量比率と１日の総発電量を乗算することによって蓄電池容量の最小値（理想値）を求め、それに充放電効率等を考慮することで必要な蓄電容量を決定することに特徴を有する。
【発明の効果】
【００１０】
請求項１記載の発明によれば、電力フィルタとして機能する電力平準化システムにおける電力伝達関数の設計が容易に実現できる。
【００１１】
請求項２記載の発明によれば、太陽光発電の出力変動を許容値以下に抑えるために必要となる最小の蓄電池容量を算出することができ、システム設計上優位である。
【図面の簡単な説明】
【００１２】
【図１】本発明の電力フィルタの制御構成である。
【図２】本発明の電力平準化システムの構成である。
【図３】本発明の平準化コントローラの制御ブロック図である。
【図４】遮断周波数と電力変動減衰量の関係を示すグラフである。
【図５】遮断周波数と蓄電量比率の関係を示すグラフである。
【図６】電力変動減衰量と蓄電量比率の関係を示すグラフである。
【発明を実施するための形態】
【００１３】
以下、本発明の実施の形態について図１乃至図６を用いて説明する。図１に本発明に係る電力平準化システム（電力フィルタ）Ａの制御構成を示す。太陽光発電の出力電力Pinを変動抑制フィルタ１により平滑化処理を行ったものが、系統に供給する電力の目標値Po*となる。その目標値と太陽光発電の出力の差分を、後述する蓄電池及び蓄電池パワコンから構成される蓄電池システム２の出力電力指令値Pbs*とする。蓄電池システム２は、その指令値にしたがって蓄電池の電力を充放電制御する。
【００１４】
図１において、Pout ＝ Pin ＋ Pbsであり、Pbs* ＝ Po* − Pin、Po* ＝ Gf Pinである。蓄電池システム２はPbs ＝ Pbs*となるように出力電力Pbsを制御するので、Pout ＝ Pin ＋ Pbs*＝Pin ＋ Gf Pin − Pin＝Gf Pinとなり、結果、変動抑制フィルタ１の伝達関数Gf＝電力フィルタ（電力平準化システムＡ）の伝達関数Gpとなる。
【００１５】
図２は図１の制御構成にしたがって太陽光発電に対し交流側で並列に接続する形とした電力平準化システムＡの構成を示している。電力平準化システムＡは、蓄電池３と、太陽光発電７や蓄電池３の出力電力を計測するトランスデューサ等のセンサ４ａ〜４ｄ、それからの値を基に電力平準化制御を行って蓄電池３の出力電流指令値を生成する平準化コントローラ５、生成された指令値を基に蓄電池３の出力電流を制御し充放電を行うパワーコンディショナー（以下、蓄電池パワコン）６から構成されている。なお、前記太陽光発電７は、太陽電池８とパワーコンディショナー（以下、太陽光パワコンという）９から構成されている。
【００１６】
図３は前記平準化コントローラ５の制御ブロック図である。平準化コントローラ５は、変動抑制フィルタ１の機能と、蓄電池３及び蓄電池パワコン６からなる蓄電池システム２における蓄電池パワコン６の出力電力Pbsをフィードバック制御する機能を有している。
【００１７】
以下に電力フィルタの遮断周波数と、蓄電池容量の算出法を記す。出力変動の激しさを表す指標として、変動速度の絶対値の最大値｜dP / dt｜maxを用いる。電力フィルタ通過後に｜dP / dt｜maxがどの程度小さくなるかで電力フィルタの性能（電力平準化の度合）を評価する。この評価により電力フィルタを決めると、太陽光発電の容量に応じて蓄電池容量Bcapが決まってくる。
【００１８】
最初に、蓄電池容量算出の概略手順を示し、その後、その詳細を説明する。なお、これ以降、電力や出力の変動速度のことを単に電力変動とか出力変動と言う。蓄電池容量算出の概略手順は次のようになる。
【００１９】
（１）最初に、電力フィルタ通過後に｜dP / dt｜maxがどの程度減衰するかを把握する。入出力における｜dP / dt｜maxの比を電力変動減衰量Gとする。そして、その電力変動減衰量Gと電力フィルタの遮断周波数fcとの関係を把握する。数種類のフィルタについて上記の関係を把握し、最終的にその中から最適なフィルタを選択する。
【００２０】
（２）次に、系統に供給する電力の変動速度｜dPout / dt｜の許容値と太陽光発電の出力変動｜dPin / dt｜maxの比から必要な電力変動減衰量を決める。
【００２１】
（３）そして各フィルタについて、上で求めた減衰量を得るために必要となる遮断周波数fcを求める。
【００２２】
（４）最後に、各フィルタを用いて平準化を行なった場合に、１日の中で蓄電池３に蓄えられる電力量が最大となるポイント（最大蓄電量）を求める。そして、年間を通じてこの値の最大値を求める。この最大値が最小となるフィルタがシステムに最適なフィルタであり、その値が必要となる蓄電池容量の最小値Bo（理想値）である。このBoに対して、蓄電池やパワコンの充放電効率や、蓄電池を使用する際の放電深度（蓄電池容量に対する放電量の比）を考慮したものが、実際に必要な蓄電池容量Bcapとなる。
【００２３】
上記手順を実施するにあたり、まず（１）の手順として、数種類のフィルタに対して遮断周波数と電力変動減衰量の関係を把握する。次に（４）の手順として、各フィルタに対して遮断周波数と最大蓄電量の関係をあらかじめ把握しておく。ここでは、太陽光発電設備（100 kWと10 kW）を対象とし、その出力データ（1秒サンプリングデータ）を基にしてこれらの関係を把握した場合について説明する。
【００２４】
最初に、電力フィルタの遮断周波数fcと電力変動減衰量Gの関係を調べる。 具体的には、対象とする太陽光発電の実際の出力データをもとにしたPinを電力フィルタに入力してその出力を計算する。その結果から、フィルタの入力の最大変動速度｜dPin / dt｜maxと出力の最大変動速度｜dPout / dt｜maxの比G（電力変動減衰量）を求める。そして、数種類のフィルタについて、遮断周波数fcを変化させて電力変動減衰量Gがどのように変化するかを調べる。
【００２５】
電力フィルタは1次と2次、3次のバタワース型LPFとした。その理由は、太陽光発電の出力はステップ状に急変する場合があるので、ステップ応答特性が良い点や設計が容易な点を考慮したためである。
【００２６】
まず、対象とする太陽光発電の出力データの中から、変動が激しい日のデータを数日分選び、そのデータによるPinを電力フィルタに入力してその出力を計算する。そして、その結果から電力変動減衰量を求めグラフ化する。
【００２７】
太陽光発電の出力変化の様相はさまざまであり、特に変動が激しい日の出力変化パターンは千差万別である。そのため、電力変動減衰量が最も小さくなる場合のグラフを用いる必要がある。調査した中で、電力変動減衰量が最小となる場合のグラフを図４に示す。
【００２８】
電力フィルタの遮断周波数fcを変化させて電力変動減衰量Gを求めた結果、両者の間には近似的に式（１）：G ＝ 10 log10 (｜dPout / dt｜max /｜dPin / dt｜max )＝ a1 log10 ( fc ) ＋ b1のような関係があることがわかった。
【００２９】
電力フィルタの遮断周波数fcと電力変動減衰量Gの関係を把握したことで、必要な減衰量Gを得るための各フィルタのfcを求めることができる。
【００３０】
次に、各電力フィルタを用いて平準化を行なった場合に、最大蓄電量Qmaxがどの程度になるかを計算する。そして、電力フィルタの遮断周波数を変化させて最大蓄電量Qmaxがどのように変化するかを調べる。
【００３１】
図１に示す電力フィルタの制御構成から、出力電力Pbsと同じ電力が蓄電池３に充放電される。蓄電池３に蓄えられる電力量Q(t )は瞬時電力P(t )の積分値であるから、蓄電量は出力電力Pbsを積分することにより求めることができる。この蓄電量Q(t )の1日の中の最大値が最大蓄電量Qmaxであり、年間を通じたQmaxの最大値が、必要となる蓄電池容量の最小値Boとなる。
【００３２】
年間を通じて最大蓄電量が最も大きくなるのは、1日の総発電量が多い日である。このため、このような日を選んで遮断周波数と最大蓄電量の関係を調べる。ただし、最大蓄電量の値そのままでは1日の総発電量に依存するので、総発電量で規格化した式（２）：蓄電量比率Cb＝ 最大蓄電量 / 1日の総発電量で検討する。
【００３３】
１日の総発電量で規格化することにより、遮断周波数と蓄電量比率の関係は、いろいろな容量の太陽光発電に適用可能となる。今回、対象とする太陽光発電の出力データの中から、１日の総発電量が多い日を数日選び、蓄電量比率を計算した。
【００３４】
各電力フィルタについて、遮断周波数fcを変化させて蓄電量比率Cbとの関係を調べた結果を図５に示す。その関係は、式(３) ：log 10 ( Cb ) ＝ a2 log10 ( fc ) ＋ b2のように対数直線で近似できる。また、近似直線の傾きa2と切片b2は、太陽光発電の容量や日によらない。これは1日の総発電量が多い日の発電パターンが類似しているためだと考えられる。近似直線の傾きa2がほぼ−1であることから、fcとCbは反比例の関係にあることがわかる。
【００３５】
各電力フィルタについて、遮断周波数fcと電力変動減衰量Gとの関係、および蓄電量比率Cbとの関係から電力変動減衰量Gと蓄電量比率Cbとの関係を導き出すことができる。
【００３６】
式(1)と式(3)から電力変動減衰量Gと蓄電量比率Cbの関係式を導出した結果は、式（４）：log10 ( Cb ) ＝ ( a2 / a1 ) ( G − b1 ) ＋ b2＝ ( a2 / a1 ) G − a2 b1 / a1 ＋ b2であり、そのグラフを図６に示す。
【００３７】
図６のグラフにより、必要な電力変動減衰量Gに対して、蓄電量比率Cbが最小となるフィルタの種類とCbの値が容易に得られる。
【００３８】
以下に、蓄電池容量の計算手順を記す。対象とする太陽光発電の最大出力変動｜dPin / dt｜maxと、系統に供給する電力の変動速度の許容値｜dPr / dt｜から、必要な電力変動減衰量Grを式（５）：Gr ＝ 10 log10 (｜dPr / dt｜/｜dPin / dt｜max )より求める。
【００３９】
図４に示すような遮断周波数と電力変動減衰量の関係から、必要減衰量Grを得るために必要となる各フィルタの遮断周波数fcを求める。
【００４０】
図５に示すような遮断周波数と蓄電量比率の関係から、各フィルタについて、前項で決定した遮断周波数fcに対する蓄電量比率Cbを求める。蓄電池容量が最小となるのは、Cbが最小となる場合である。したがって、図５に示すような関係グラフの中からCbが最小となるフィルタを選択する。
【００４１】
ただし、図６に示すような電力変動減衰量と蓄電量比率の関係が導出できている場合は、それを用いて、必要な電力変動減衰量Grに対して蓄電量比率Cbが最小となるフィルタを選択する。
【００４２】
太陽光発電の出力データから1日の総発電量の最大値Wmaxを求める。
【００４３】
得られたCbとWmaxを乗算することにより蓄電池容量が求められる。しかしこの値は、蓄電池３やパワコン６の充放電効率や、蓄電池３を使用する際の放電深度（蓄電池容量に対する放電量の比）を100%とした場合の理想値であり、実際的な値ではない。このため、これらの効率や放電深度を考慮する必要がある。
【００４４】
蓄電池パワコン６の電力変換効率をηbpcとすると、蓄電池３に充電される電力量は、理想値Bo（＝Cb Wmax）に対してηbpc倍（ηbpc Bo ）となる。
【００４５】
蓄電池３の充電効率（＝ 放電電力量 / 充電電力量）をηbとすると、放電可能な電力量は、充電電力量ηbpc Boに対して、蓄電池３でηb倍となり、さらに蓄電池パワコン６から放電するのでηbpc倍となる。結局、最終的に放電可能な電力量は、ηb ηbpc倍（ηb ηbpc2 Bo ）となる。
【００４６】
蓄電池３に充電した1日の太陽光発電の電力は、その日の内にはすべて系統へ放電される。見かけ上、太陽光発電により最大Boの電力を充電することになるので、同量の電力を放電することになる。ところが、前項により放電可能な電力量はηb ηbpc2 Boとなるので、その損失分(1 − ηb ηbpc2 ) Boをあらかじめ夜間に補充しておく必要がある。補充した電力についても100%放電できるわけではない。前項同様、補充分に対する放電可能な電力量はηb ηbpc倍となる。したがって、あらかじめ充電しておく電力量は、式（６）：(1 − ηb ηbpc2 ) Bo / (ηb ηbpc ) ＝ ((ηb ηbpc )-1 − ηbpc ) Boとなる。
【００４７】
蓄電池３を使用する際の最大放電深度Kdodを考慮すると、必要となる蓄電池３の容量Bcapは式（７）：Bcap ＝ (ηbpc Bo ＋ ((ηb ηbpc )-1 − ηbpc ) Bo ) / Kdod＝ Bo / (ηb ηbpc Kdod )＝ Cb Wmax / (ηb ηbpc Kdod )で求められる。
【００４８】
以下に、実際に蓄電池３の容量を求めた計算例を記す。対象としたのは100kW太陽光発電設備である。当該太陽光発電の最大出力変動を｜dPin / dt｜max ＝ 43 kW/sとする。これを石炭火力発電機が追従可能な出力変動3% /分以下に抑えるものとする。つまり、系統に供給する電力の変動速度の許容値を0.05kW/sとした場合、必要な電力変動減衰量は、式（５）からGr ＝ −29.3dBとなる。
【００４９】
この場合、図６の関係から電力フィルタは、バタワース型2次LPFを選択する。電力変動減衰量が−29.3dBとなる電力フィルタの遮断周波数fcを図４から求めると、0.21 mHzとなる。
【００５０】
図６から蓄電量比率Cbを求めると、4.1 %となる。
【００５１】
太陽光発電の1日の総発電量の最大値Wmax ＝ 650 kWhであるとき、使用する蓄電池３の最大放電深度を80 %、充電効率を95 %、蓄電池パワコン６の効率を94 %とすると、必要な蓄電池３の容量は、式（７）からBcap ＝ 37 kWhとなる。
【００５２】
以上説明したように、本発明によれば、必要な電力変動減衰量を得るためのフィルタの遮断周波数を求めることができ、システムを最適化できる。
【００５３】
また、太陽光発電の容量に応じた蓄電池容量を算出することができ、システム設計上、優位となる。
【００５４】
なお、本発明は太陽光発電の場合のみならず、風力発電等の電力平準化にも適用可能であることは当然である。
【産業上の利用可能性】
【００５５】
配電系統に対する出力変動対策として利用可能である。
【符号の説明】
【００５６】
１  変動抑制フィルタ
２  蓄電池システム
３  蓄電池
４ａ〜４ｄ  トランスデューサ等のセンサ
５  平準化コントローラ
６  蓄電池パワコン
７  太陽光発電
８  太陽電池
９  太陽光パワコン
Ａ  電力平準化システム
【図１】
0006404747.tif 000002
【図２】
0006404747.tif 000003
【図３】
0006404747.tif 000004
【図４】
0006404747.tif 000005
【図５】
0006404747.tif 000006
【図６】
0006404747.tif 000007